(57)【特許請求の範囲】
【請求項１】
無線ＩＰ通信において、移動機から無線局を介して受信したＩＰパケットから移動機の地域情報を生成する交換機であって、
前記無線局と前記交換機とを接続する回線のパス識別子と、前記無線局の地域情報と、前記無線局の固有番号との対応関係情報を管理し、前記移動機が認証局において認証されたときに、前記無線局の固有番号と、前記移動機の端末識別子とを前記対応関係情報に登録する対応関係管理部と、
前記移動機からのＩＰパケットを受信し、該ＩＰパケットから前記無線局と前記交換機とを接続する回線のパス識別子と、前記移動機の端末識別子とを特定するパケット解析部と、
前記パケット解析部で特定されたパス識別子及び端末識別子から、前記対応関係情報に基づいて前記移動機の地域情報を生成する地域情報生成部と、
を有する交換機。
【請求項２】
前記移動機は、ＳＩＰプロトコルに従って前記交換機と通信セッションを確立して接続し、
前記無線局の固有番号は、前記無線局のＭＡＣアドレスであり、
前記移動機の端末識別子は、ＳＩＰ−ＵＲＩである
ことを特徴とする請求項１に記載の交換機。
【請求項３】
移動機と、無線局と、該移動機から該無線局を介してＩＰパケットを受信する交換機とを有する無線ＩＰ通信システムであって、
前記交換機は、前記無線局と前記交換機とを接続する回線のパス識別子と、前記無線局の地域情報と、前記無線局の固有番号との対応関係情報を管理し、
前記交換機は、前記移動機が認証局において認証されたときに、前記無線局の固有番号と、前記移動機の端末識別子とを前記対応関係情報に登録し、
前記移動機は、前記無線局を介して前記交換機にＩＰパケットを発信し、
前記交換機は、前記ＩＰパケットから前記無線局と前記交換機とを接続する回線のパス識別子と、前記移動機の端末識別子とを特定し、
前記交換機は、前記パケット解析部で特定されたパス識別子及び端末識別子から、前記対応関係情報に基づいて前記移動機の地域情報を生成する無線ＩＰ通信システム。
【発明の詳細な説明】
【技術分野】
【０００１】
本発明は、無線ＩＰ通信において移動機から受信したＩＰパケットから移動機の地域情報を生成する交換機及び通信システムに関する。
【背景技術】
【０００２】
複数の通信事業者を相互接続する電話網において、移動通信・固定通信にかかわらず、発信側の端末の位置を特定することが義務付けられている。従来の移動通信網（図１参照）では、移動機の地域情報は、無線局の設置場所を交換機で管理することにより、発信側の端末の位置を特定している。具体的には、予め交換機において、無線局毎の地域識別子と地域情報との対応テーブルを登録する。移動機からの発信時に、移動機が属する無線局の地域識別子を交換機に送信する。交換機では、無線局からの地域識別子を対応テーブルから検索して地域情報を生成する。
【０００３】
一方で、ＳＩＰ（Session Initiation Protocol）プロトコルを採用した固定ＩＰ電話が普及しつつある。このようなＩＰ電話を上記のような移動通信に適用しようとすると、ＩＰ通信には地域情報という概念が存在しないため、以下のような問題が生じる（非特許文献１）。
・移動機の電話番号と地域情報との対応付けができない。
・移動機の移動性が確保されているため、端末のＩＰアドレスと地域情報との対応付けができない。
【０００４】
ＩＰ通信において発信側端末の地域情報を生成する技術として、特許文献１のように、ユーザ端末の接続時に端末位置情報の登録を要求する技術がある。しかし、この技術では、ユーザによる位置情報の入力に依存しており、例えば他事業網への相互接続に必要な地域情報として不十分である。
【０００５】
また、特許文献２のように、ＳＳＩＤを使用して端末の位置情報を管理し、端末のなりすましを防止する技術がある。しかし、ＳＳＩＤもユーザが変更することができるものであるため、複数の事業者を相互接続する環境における地域情報としては不十分である。
【特許文献１】特開２００４−３２８１０４
【特許文献２】特開２００４−２７４６０２
【非特許文献１】ＪＦ−ＩＥＴＦ−ＲＦＣ３３９８、ＳＩＰ−ＴＴＣ  ＩＳＵＰ信号方式相互接続に関する技術仕様、第１．０版、２００５年６月２日
【発明の開示】
【発明が解決しようとする課題】
【０００６】
本発明は、前述のような従来技術の実情に鑑みてなされたものであり、無線ＩＰ通信において移動機から受信したＩＰパケットから移動機の地域情報を生成することを目的とする。
【課題を解決するための手段】
【０００７】
本発明の前記の目的は、無線ＩＰ通信において、移動機から無線局を介して受信したＩＰパケットから移動機の地域情報を生成する交換機であって、前記無線局と前記交換機とを接続する回線のパス識別子と、前記無線局の地域情報と、前記無線局の固有番号との対応関係情報を管理し、前記移動機が認証局において認証されたときに、前記無線局の固有番号と、前記移動機の端末識別子とを前記対応関係情報に登録する対応関係管理部と、前記移動機からのＩＰパケットを受信し、該ＩＰパケットから前記無線局と前記交換機とを接続する回線のパス識別子と、前記移動機の端末識別子とを特定するパケット解析部と、前記パケット解析部で特定されたパス識別子及び端末識別子から、前記対応関係情報に基づいて前記移動機の地域情報を生成する地域情報生成部とを有する交換機、により解決することができる。
【０００９】
また、本発明の前記の目的は、移動機と、無線局と、該移動機から該無線局を介してＩＰパケットを受信する交換機とを有する無線ＩＰ通信システムであって、前記交換機は、前記無線局と前記交換機とを接続する回線のパス識別子と、前記無線局の地域情報と、前記無線局の固有番号との対応関係情報を管理し、前記交換機は、前記移動機が認証局において認証されたときに、前記無線局の固有番号と、前記移動機の端末識別子とを前記対応関係情報に登録し、前記移動機は、前記無線局を介して前記交換機にＩＰパケットを発信し、前記交換機は、前記ＩＰパケットから前記無線局と前記交換機とを接続する回線のパス識別子と、前記移動機の端末識別子とを特定し、前記交換機は、前記パケット解析部で特定されたパス識別子及び端末識別子から、前記対応関係情報に基づいて前記移動機の地域情報を生成する無線ＩＰ通信システム、によっても解決することができる。
【発明の効果】
【００１０】
前記のように、本発明の実施例によれば、無線ＩＰ通信において移動機から受信したＩＰパケットから移動機の地域情報を生成することができる。
【発明を実施するための最良の形態】
【００１１】
本発明の実施例について、図面を参照して以下に詳細に説明する。
【００１２】
（第１実施例）
図２は、本発明の第１実施例が適用される無線ＩＰ電話システム１０の構成例を示す図である。無線ＩＰ電話システム１０は、移動機１０１、無線局１０３、交換機１０５及びＳＩＰサーバ１０９で構成される。無線局１０３及び交換機１０５は、アクセス回線１１１で接続されている。移動機１０１は、ＳＩＰプロトコルに従ってＩＰ電話を行う機能を有する。無線局１０３は、移動機１０１からの通話を通信事業者に設置されている交換機１０５に接続する。ＳＩＰサーバ１０９は、交換機内に又は交換機と接続して設置されており、移動機１０１からのＳＩＰアクセス要求に応じて、通信セッションの確立を行う。交換機１０５は、移動機１０１のＩＰ電話を自事業者網又は他事業者網等に接続する。
【００１３】
交換機１０５は、アクセス回線１１１のパス識別子と地域情報とを対応付ける対応テーブル１０７を有する。対応テーブル１０７は、無線局１０３と交換機１０５とのアクセス回線設定時に図３のように設定される。対応テーブル１０７は、アクセス回線１１１のパス識別子毎の地域情報を管理するテーブルである。例えば拠点＃１と交換機１０５との間でＶＰＮ（Virtual Private Network）を設定した場合、パス識別子はＶＰＮ毎に固有に割り当てられるＶＰＮ番号である。このように、拠点毎の地域情報が対応テーブル１０７に予め登録される。交換機１０５が移動機１０１のＩＰ電話を他事業者網等に接続するときに、移動機１０１の地域情報が必要となるため、交換機１０５は、対応テーブル１０７を参照して移動機１０１の地域情報を生成する。この地域情報の生成について以下に詳細に説明する。
【００１４】
図４は、本発明の第１実施例における交換機１０５のブロック図である。交換機１０５は、対応関係管理部１５１、対応テーブル１５３、受信部１５５、パケット解析部１５７及び地域情報生成部１５９で構成される。対応関係管理部１５１は、アクセス回線のパス識別子と地域情報とを対応付け、その対応関係情報を対応テーブル１５３に格納する。対応テーブル１５３は図２の対応テーブル１０７に相当し、図３のような対応関係情報を保持する。受信部１５５は、移動機から無線局を介してＩＰパケットを受信する。このＩＰパケットには、アクセス回線のパス識別子が含まれているため、パケット解析部１５７でそのパス識別子を特定する。地域情報生成部１５９は、パケット解析部１５７で特定されたパス識別子を対応テーブルから検索し、無線局の地域情報を特定する。この無線局の地域情報を移動機の地域情報とすることで、移動機の地域情報が生成される。
【００１５】
このように生成された地域情報は、移動機に対する課金情報に利用することができる。また、地域情報に基づいて最適なＰＯＩへのルーティングを行うこともできる。例えば、重要拠点から発信された電話を、バックアップ回線を備えたＰＯＩにルーティングすることも可能になる。更に、地域情報に基づいて移動機に対して地域に特化した情報を交換機から発信することも可能になる。
【００１６】
（第２実施例）
図５は、本発明の第２実施例が適用される無線ＩＰ電話システム２０の構成例を示す図である。無線ＩＰ電話システム２０は、第１実施例と同様に、移動機２０１、無線局２０３、交換機２０５及びＳＩＰサーバ２０９を有する。更に、無線ＩＰ電話システム２０は認証局２１３を有する。認証局２１３は、例えばＲＡＤＩＵＳサーバでもよい。移動機２０１は、ＳＩＰサーバ２０９との間で通信セッションの確立し、更に認証局２１３に対して認証を行う。
【００１７】
交換機２０５は、無線局の固有番号（例えばＭＡＣアドレス）と地域情報とを対応付ける対応テーブル２０７を有する。対応テーブル２０７は、予め無線局の固有番号と地域情報とを対応付けて図６のように設定される（この時点では移動機の情報は入っていない）。例えば拠点＃１に無線局＃１を設置した場合に、無線局＃１のＭＡＣアドレスと無線局＃１の地域情報を対応テーブル２０７に登録する。前述のように、発信時に、移動機２０１は、ＳＩＰサーバ２０９と通信セッションの確立を行い、認証局２１３に対して認証を行う。この通信セッションの確立時に、ＳＩＰサーバ２０９は移動機２０１に対してＳＩＰ−ＵＲＩ（Session Initiation Protocol - Uniform Resource Identifier）を割り当てる。移動機からのパケットヘッダにはＳＩＰ−ＵＲＩが含まれるため、認証時に認証局２１３はこの情報を交換機２０５に送信することができる。すなわち、認証局２１３はＳＩＰ−ＵＲＩ及び無線局のＭＡＣアドレスを交換機２０５に送信する。交換機２０５は、受信した無線局のＭＡＣアドレスに基づいて対応テーブル２０７を検索し、受信したＳＩＰ−ＵＲＩを対応テーブル２０７の該当箇所に移動機２０１の端末識別子として登録する。移動機２０１から交換機２０５への接続時に、交換機２０５は、ＩＰパケットに含まれるＳＩＰ−ＵＲＩから移動機の地域情報を生成する。この地域情報の生成について以下に詳細に説明する。
【００１８】
第２実施例における交換機２０５のブロック図は、図４と同様である。対応関係管理部１５１は、予め無線局の固有番号と地域情報とを対応付け、その対応関係情報を対応テーブル１５３に格納する。対応テーブル１５３は図５の対応テーブル２０７に相当し、図６のような対応関係情報を保持する（この時点で「地域」及び「無線局」の情報が書き込まれる）。受信部１５５は、移動機の認証時に、認証局から無線局の固有番号と移動機の端末識別子とを受信する。受信部１５５で受信した無線局の固有番号及び移動機の端末識別子は、対応関係管理部１５１を介して対応テーブル１５３に登録され、図６のような対応関係情報が生成される。移動機からの発信時に、受信部１５５は移動機から無線局を介してＩＰパケットを受信する。このＩＰパケットには移動機の端末識別子が含まれているため、パケット解析部１５７でその端末識別子を特定する。地域情報生成部１５９は、パケット解析部１５７で特定された端末識別子を対応テーブルから検索し、無線局の地域情報を特定する。この無線局の地域情報を移動機の地域情報とすることで、移動機の地域情報が生成される。
【００１９】
このように生成された地域情報は、第１実施例と同様に、課金情報、最適ＰＯＩへのルーティング及び地域に特化した情報発信に利用することができる。
【００２０】
上記の第２実施例では、各拠点に認証局が設置されているが、認証局は複数の拠点を一元的に管理するように交換機（事業者側）と接続して設置されてもよい。
【００２１】
（第１実施例と第２実施例との組み合わせ）
上記の第１実施例は、パス識別子を用いて拠点の地域が正確に特定することができるという特徴を有する。また、通信セッション毎に対応テーブルを更新しないことから、交換機の負荷を軽減することができるという特徴を有する。
【００２２】
一方、第２実施例は、通信セッション毎に地域情報を確認することができるため、移動機の移動に対しても、地域情報を特定することができるという特徴を有する。また、移動機からの通信セッションを交換機に接続する前に認証局で認証を行うことで、許可された移動機以外の通信を切断することができるという特徴を有する。
【００２３】
従って、地域情報の正確な管理及び移動機の正確な認証を同時に実現するには、第１実施例と第２実施例を組み合わせて利用することが好ましい。第１実施例と第２実施例とを組み合わせた場合のシーケンス図を図７に示す。
【００２４】
ステップＳ３０１において、通信セッションを確立するために、移動機は無線局を介してＳＩＰサーバに対してＳＩＰ要求を送信する。ステップＳ３０３において、ＳＩＰサーバはＳＩＰ要求への応答として移動機にＳＩＰ−ＵＲＩを割り当てる。ステップＳ３０５において、移動機は無線局を介して認証局に認証情報を送信する。ステップＳ３０７において、認証局は、移動機のＳＩＰ−ＵＲＩと無線局のＭＡＣアドレスを交換機に送信する。このＳＩＰ−ＵＲＩとＭＡＣアドレスは交換機の対応テーブルに格納される。ステップＳ３０９において、認証局から移動機に対して認証確認が行われる。認証が失敗したときには接続が解除される。認証が成功すると、ステップＳ３１１において、移動機は指定されたＳＩＰ−ＵＲＩで通信相手との通信を試みる。ＳＩＰ−ＵＲＩを含む移動機からのパケットは、無線局でパス識別子が更に付与され、交換機で受信される。交換機は、ＳＩＰ−ＲＵＩ及びパス識別子に基づいて移動機の地域情報を生成する。
【００２５】
なお、本発明は、上記の実施例に限定されることなく、特許請求の範囲内において種々の変更及び応用が可能である。
【図面の簡単な説明】
【００２６】
【図１】従来の移動通信網の構成例を示す図
【図２】本発明の第１実施例が適用される無線ＩＰ通信システムの構成例を示す図
【図３】本発明の第１実施例における交換機で使用される対応テーブル
【図４】本発明の第１実施例及び第２実施例における交換機のブロック図
【図５】本発明の第２実施例が適用される無線ＩＰ通信システムの構成例を示す図
【図６】本発明の第２実施例における交換機で使用される対応テーブル
【図７】本発明の第１実施例と第２実施例を組み合わせた無線ＩＰ通信システムにおける通信手順を示したシーケンス図
【符号の説明】
【００２７】
１０、２０  無線ＩＰ電話システム
１０１、２０１  移動機
１０３、２０３  無線局
１０５、２０５  交換機
１０７、２０７  対応テーブル
１０９、２０９  ＳＩＰサーバ
１１１  アクセス回線
２１３  認証局
１５１  対応関係管理部
１５３  対応テーブル
１５５  受信部
１５７  パケット解析部
１５９  地域情報生成部
【図１】
0004680017.tif 000002
【図２】
0004680017.tif 000003
【図３】
0004680017.tif 000004
【図４】
0004680017.tif 000005
【図５】
0004680017.tif 000006
【図６】
0004680017.tif 000007
【図７】
0004680017.tif 000008